(57)【要約】      （修正有）【課題】閉塞感の生じやすい玄関とリビングとをつなぐ廊下の通路空間において、室空間への出入口となる壁面に設けられる扉を有効利用して、閉塞感の抑制及び収納力を確保できる出入口扉兼用飾り棚を提供する。【解決手段】出入口扉兼用飾り棚１１において、玄関とリビング１７とをつなぐ廊下１９の壁面２１に開口する室空間２３の出入口２５に、壁面２１より突出して取り付けられる扉枠２９と、扉枠２９に取り付けられて閉扉される扉２７と、扉枠２９に連結されて壁面２１に取り付けられる棚枠３３と、壁面２１からの棚枠３３の突出寸法と同一またはそれより小さい寸法で突出して棚枠３３の内側に配置されるとともに扉２７の扉外面においても配置され全ての突出先端が面一となる複数の棚板４１と、棚枠３３に包囲される壁面２１及び扉外面を覆って設けられる同一意匠の化粧材５５と、化粧材５５と面一となって扉２７に取り付けられ扉２７を開閉自在とする取手７５とを設けた。【選択図】図２
0003225278.tif 000002
【実用新案登録請求の範囲】
【請求項１】
玄関とリビングとをつなぐ廊下を挟む一方の壁面に開口する室空間の出入口に、前記壁面より突出して取り付けられる扉枠と、
前記扉枠に開閉自在に取り付けられて前記壁面に平行に閉扉される扉と、
前記扉枠に連結されて前記壁面に取り付けられる棚枠と、
前記壁面からの前記棚枠の突出寸法と同一またはそれより小さい突出寸法で突出して前記棚枠の内側に配置されるとともに前記廊下に面する前記扉の扉外面においても配置され全ての突出先端が面一となる複数の棚板と、
前記棚枠に包囲される前記壁面及び前記扉外面を覆って設けられる同一意匠の化粧材と、
前記化粧材と面一となって前記扉に取り付けられ前記扉を開閉自在とする取手と、
を具備することを特徴とする出入口扉兼用飾り棚。
【請求項２】
請求項１に記載の出入口扉兼用飾り棚であって、
前記室空間に面する前記扉の扉内面に、ドアクローザーが設けられることを特徴とする出入口扉兼用飾り棚。
【請求項３】
請求項１または請求項２に記載の出入口扉兼用飾り棚であって、
前記玄関に配設される下足入れが、前記棚枠を挟んで前記扉枠の反対側となる前記棚枠の側部に連結され、
前記下足入れの表面に前記化粧材が設けられるとともに、前記化粧材の設けられた前記下足入れの前記玄関に面する前面が、前記棚板の突出先端と面一に配置されることを特徴とする出入口扉兼用飾り棚。
【考案の詳細な説明】
【技術分野】
【０００１】
本考案は、出入口扉兼用飾り棚に関する。
【背景技術】
【０００２】
扉は部屋の出入口に設けられる建具の１つであるが、この扉に物品を収容等する構成として、例えば冷蔵庫本体の前面開口に取り付けられる扉には、食料品等の種々の形状に対応させた複数箇所の収納部が庫内側の面に設けられ、収納力が高められている（例えば特許文献１等）。また、書庫や飾り棚家具には、収納枠体を、蝶番により家具本体に開閉自在に取り付けるものもある（例えば特許文献２等）。この種の家具では、収納枠体に棚を設けることにより、家具本体の棚と、収納枠体の棚とに収容した双方の収納物の取り出しやすさを図っている。
【先行技術文献】
【特許文献】
【０００３】
【特許文献１】実開昭５６−１７２６８６号公報
【特許文献２】実開昭５９−４８２５０号公報
【考案の概要】
【考案が解決しようとする課題】
【０００４】
しかしながら、住居の建具としての扉に、収納手段を設けることは、大きな収納力があまり期待できない。一方、玄関とリビングとをつなぐ廊下は、両側の壁面に挟まれることから、比較的、閉塞感が生じやすい。このような、廊下壁面に、室空間への扉が設けられている場合においても、閉扉状態では、扉外面が壁面と面一となって連続するため、閉塞感の生じることには、変わりがない。このような廊下では、閉塞感を解消しながら、収納等の有効な利用方法が模索される。
【０００５】
本考案は上記状況に鑑みてなされたもので、その目的は、閉塞感の生じやすい玄関とリビング等とをつなぐ比較的長い廊下の通路空間において、この廊下の外に配置される居室などの室空間への出入口となる扉を有効利用して、閉塞感の抑制及び収納力を確保できる出入口扉兼用飾り棚を提供することにある。
【課題を解決するための手段】
【０００６】
次に、上記の課題を解決するための手段を、実施の形態に対応する図面を参照して説明する。
本考案の請求項１記載の出入口扉兼用飾り棚１１は、玄関１５とリビング１７とをつなぐ廊下１９を挟む一方の壁面２１に開口する室空間２３の出入口２５に、前記壁面２１より突出して取り付けられる扉枠２９と、
前記扉枠２９に開閉自在に取り付けられて前記壁面２１に平行に閉扉される扉２７と、
前記扉枠２９に連結されて前記壁面２１に取り付けられる棚枠３３と、
前記壁面２１からの前記棚枠３３の突出寸法と同一またはそれより小さい突出寸法で突出して前記棚枠３３の内側に配置されるとともに前記廊下１９に面する前記扉２７の扉外面４５においても配置され全ての突出先端が面一となる複数の棚板４１と、
前記棚枠３３に包囲される前記壁面２１及び前記扉外面４５を覆って設けられる同一意匠の化粧材５５と、前記化粧材５５と面一となって前記扉２７に取り付けられ前記扉２７を開閉自在とする取手７５と、
を具備することを特徴とする。
【０００７】
この出入口扉兼用飾り棚１１では、玄関１５とリビング１７とをつなぐ廊下１９の壁面２１に設けられる扉２７の扉外面４５に、棚板４１が取り付けられる。扉２７は、壁面２１に開口する出入口２５に取り付けられる扉枠２９に開閉自在に取り付けられる。この扉枠２９は、壁面２１から廊下側へ若干突出する。
壁面２１には、扉枠２９に連結して棚枠３３が取り付けられる。この棚枠３３の内側には、棚枠３３に包囲されるようにして複数枚の棚板４１が配置される。これらの棚板４１は、廊下側の突出先端が全て面一に揃えられ、廊下歩行時の障害とならいように、壁面２１から突出する奥行き寸法が短尺（例えば７０ｍｍ程度）に設定される。
扉外面４５、及び棚枠３３に包囲される壁面２１には、同一意匠の化粧材５５が施工される。化粧材５５としては、木目柄化粧シートや石目調、織物調、柄や模様等のパターンを有する所謂壁紙クロス等が用いられる。これにより、扉外面４５や棚枠３３に包囲された壁面２１の仕上げ施工が省略可能となる。化粧材５５は、他の内壁に貼着されるクロス材と共通にして、統一感を持たせることができる。また、上記のように木目柄化粧シートや原色シート等を用いることにより、デザインに変化を与えて閉塞感を緩和させることも可能となる。
また、扉２７は、化粧材５５と面一となって取手７５が設けられるので、扉２７の存在を目立たなくして、デザインの自由度を高めることができる。
出入口扉兼用飾り棚１１を設けることにより、本来、リビング１７等に置く飾り棚、書棚、小物台、新聞ラック等の小型の家具を減らすことができる。これにより、その分、リビング１７を広く使うことができる。
さらに、出入口扉兼用飾り棚１１は、物を置いていない空の状態においても、色、照明等の効果によりインテリアとしての役目も果たすことができる。
【０００８】
本考案の請求項２記載の出入口扉兼用飾り棚１１は、請求項１に記載の出入口扉兼用飾り棚１１であって、
前記室空間２３に面する前記扉２７の扉内面８１に、ドアクローザー８５が設けられることを特徴とする。
【０００９】
この出入口扉兼用飾り棚１１では、通常の状態において、扉２７を常に閉扉状態にできる。つまり、扉２７が開け放された状態にならないで済む。これにより、通常の扉に比べて厚みのある構成である出入口扉兼用飾り棚１１が、廊下１９内で中途に存在してしまうことがなくなり、出入口扉兼用飾り棚１１を設けたことによる廊下１９側でのデザイン性の低下が抑制できる。
【００１０】
本考案の請求項３記載の出入口扉兼用飾り棚８９は、請求項１または請求項２に記載の出入口扉兼用飾り棚１１であって、
前記玄関１５に配設される下足入れ８７が、前記棚枠３３を挟んで前記扉枠２９の反対側となる前記棚枠３３の側部に連結され、
前記下足入れ８７の表面に前記化粧材５５が設けられるとともに、前記化粧材５５の設けられた前記下足入れ８７の前記玄関１５に面する前面が、前記棚板４１の突出先端と面一に配置されることを特徴とする。
【００１１】
この出入口扉兼用飾り棚８９では、玄関１５に設置される下足入れ８７が、棚枠３３，扉枠２９にさらに連結される。これらには、同一の化粧材５５が施工されるので、玄関１５からリビング１７に至る廊下１９の奥行き方向に、下足入れ８７に化粧材５５を施工した分、統一された奥行き感を持たせることができる。
【考案の効果】
【００１２】
本考案に係る請求項１記載の出入口扉兼用飾り棚によれば、閉塞感の生じやすい玄関とリビングとをつなぐ比較的長い廊下の通路空間において、廊下壁面に設けられる扉を廊下壁面と同様に飾り棚として有効利用することにより、玄関から続く廊下をギャラリーのように飾りつけることができ、閉塞感の抑制及び収納力を確保できる。
【００１３】
本考案に係る請求項２記載の出入口扉兼用飾り棚によれば、扉が廊下側や室空間側へ中途な位置で開け放された状態とならず、扉が廊下や室空間の障害とならずに、この扉の閉鎖状態を促し、すなわち常に扉が壁面と同一面となるよう助勢され、見栄えが良く、棚としての視認も常に良好となる。
【００１４】
本考案に係る請求項３記載の出入口扉兼用飾り棚によれば、通常、玄関から廊下への連続する空間でありながら、玄関内の構造物として違和感の生じやすい下足入れに対し、バリアフリー化が進む玄関から廊下への連続したデザインの一部となるように下足入れを存在させ、整然とした奥拡がり感を得ることが可能となる。
【図面の簡単な説明】
【００１５】
【図１】本考案の実施形態に係る出入口扉兼用飾り棚が設けられた住宅の間取り図である。
【図２】出入口扉兼用飾り棚が取り付けられる前の壁面及び出入口の斜視図である。
【図３】出入口扉兼用飾り棚の正面図である。
【図４】出入口扉兼用飾り棚が取り付けられた出入口近傍の平断面図である。
【図５】下足入れが連結される変形例に係る出入口扉兼用飾り棚が設けられた住宅の間取り図である。
【考案を実施するための形態】
【００１６】
以下、本考案に係る実施形態を図面を参照して説明する。
図１は、本考案の実施形態に係る出入口扉兼用飾り棚１１が設けられた住宅の間取り図である。
本実施形態に係る出入口扉兼用飾り棚１１は、例えば、マンションタイプの集合住宅に好適に用いることができる。特に、玄関扉１３を有した玄関１５と、リビング・ダイニング室１７（以下、単に「リビング」と称す。）とをつなぐ、直線状の廊下１９を備える間取りに設けて有効となる。ここでは、出入口扉兼用飾り棚１１は、廊下１９の壁面２１（図２）に、室空間２３の出入口２５となる扉２７が設けられていることが要件となる。室空間２３は、図１に示すような寝室などの居室の他、例えば収納室、洗面所、トイレ等であってもよい。
【００１７】
図２は、出入口扉兼用飾り棚１１が取り付けられる前の壁面２１及び出入口２５の斜視図である。
扉枠２９は、玄関１５とリビング１７とをつなぐ廊下１９を挟む、一方の壁面２１に開口する室空間２３の出入口２５に取り付けられる。室空間２３は、壁３１（図４）により仕切られる。すなわち、出入口２５は、この壁３１に設けられている。また、廊下１９に面した壁３１の面が壁面２１となっている。扉枠２９は、壁面２１より若干寸法突出して取り付けられる。なお、扉枠２９は、壁面２１と面一で建て込まれてもよい。この場合においても、扉枠２９は、壁面２１と面一で表出する。扉枠２９は、例えば床側を除く三方枠として形成される。
【００１８】
棚枠３３は、扉枠２９に連結されて壁面２１に取り付けられる。棚枠３３は、左右の棚枠側板３５と、両側の棚枠側板３５の上端同士を連結する棚枠天板３７と、両側の棚枠側板３５の下端同士を連結する棚枠幅木３９とにより四角形の枠状に形成される。棚枠３３は、一方の棚枠側板３５が扉枠２９に連結される（図４）。
【００１９】
棚板４１は、壁面２１からの棚枠３３の突出寸法と同一またはそれより小さい突出寸法で突出して棚枠３３の内側に配置される。棚枠３３は、仕切板４３により左右方向が分割されてもよい。本実施形態では、棚枠３３が、仕切板４３により例えば二等分割されている。それぞれの棚枠側板３５と仕切板４３との間には、棚板４１が複数段（図例では３段）で配置されている。
【００２０】
棚板４１は、棚枠側板３５の内面及び仕切板４３の両側面に設けた複数の棚支持部（図示略）により上下方向の任意位置に取付可能となる。棚板４１は、廊下１９に面する扉２７の扉外面４５にも配置される。扉外面４５には、一対の扉側板４７（図４）が固定される。扉側板４７は、扉外面４５に左右端に設けられた連結ダボ４９（図４）を介して扉外面４５に固定される。扉外面４５に配置される棚板４１は、棚枠３３と同様に、扉側板４７の内面に設けられた複数の棚支持部により上下方向の任意位置に取付可能となる。
【００２１】
棚板４１は、棚枠３３に包囲された壁面２１、廊下１９に面する扉２７の扉外面４５において、全ての突出先端が面一となるように配置される。
【００２２】
壁面２１のリビング側の終端には、壁面２１と垂直方向の袖壁５１が設けられる。棚枠３３は、この袖壁５１よりも小さい寸法で壁面２１から突出する。袖壁５１は、例えばリビング１７における出入口開口５３の端を形成する。
【００２３】
棚枠３３に包囲される壁面２１、及び扉外面４５には、同一意匠の化粧材５５が設けられる。化粧材５５としては、例えば木目柄化粧シートや石目調、織物調、柄や模様等のパターンを有する所謂壁紙クロス等を用いることができる。すなわち、棚枠３３に包囲される壁面２１、扉外面４５は、木目柄化粧シート等により統一して覆われる。
【００２４】
図３は、出入口扉兼用飾り棚１１の正面図である。
出入口扉兼用飾り棚１１には、例えば写真５７、小型の観葉植物５９、トロフィー６１、置き時計６３、子供の絵本６５、本６７、雑誌６９、新聞７１等が収容される。扉２７には、一対の扉側板４７に渡って、柵パイプ７３が取り付けられる。柵パイプ７３は、それぞれの棚板４１に応じて設けられることにより、扉開閉時における収容物の落下を防止する。
【００２５】
扉２７には、取手７５が凹設される。取手７５は、化粧材５５と面一となって扉２７に取り付けられる。この取手７５としては、例えばアトムリビンテック株式会社製のフラットハンドル等を用いることができる。このフラットハンドルは、ハンドルが、扉外面４５に設けた化粧材５５とフラットになるため、レバーハンドルのような出っ張りがなくなる。フラットハンドルは、扉２７を閉めると、マグネットラッチが飛び出し、ストライク（図示略）に掛かり扉２７を閉止状態にできる。
【００２６】
図４は、出入口扉兼用飾り棚１１が取り付けられた出入口近傍の平断面図である。
扉２７は、扉枠２９に開閉自在に取り付けられて壁面２１に平行に閉扉される。扉２７は、扉枠２９に、蝶番７７を介して吊元側が回転自在に取り付けられる。蝶番７７は、通常の耐荷重のものよりも大きい荷重に耐える仕様のものが用いられる。これにより、収容物の分、増加する荷重を受けられるようにする。蝶番７７としては、例えばアトムリビンテック株式会社製のノイズレス旗蝶番等を用いることができる。
【００２７】
本実施形態において、扉２７は、廊下１９側へ開く外開きとなる。なお、扉２７は、室空間側へ開く内開きとすることもできる。扉枠２９の内面には、戸当たり７９が設けられる。戸当たり７９には、扉内面８１と対向する面に、パッキン８３が取り付けられる。扉枠２９の戸先側には、フラットハンドルのラッチが入るストライクが設けられる。
【００２８】
出入口扉兼用飾り棚１１は、室空間２３に面する扉２７の扉内面８１に、ドアクローザー８５が設けられる。ドアクローザー８５は、閉扉するように扉２７に回転力を付与する。なお、ドアクローザー８５は、扉２７の全開状態で、扉２７の回転を規制する保持機能を備えてもよい。
【００２９】
次に、上記した構成の作用を説明する。
【００３０】
本実施形態に係る出入口扉兼用飾り棚１１では、玄関１５とリビング１７とをつなぐ廊下１９の壁面２１に設けられる扉２７の扉外面４５に、棚板４１が取り付けられる。扉２７は、壁面２１に開口する出入口２５に取り付けられる扉枠２９に開閉自在に取り付けられる。この扉枠２９は、壁面２１から廊下側へ若干突出する。
【００３１】
壁面２１には、扉枠２９に連結して棚枠３３が取り付けられる。この棚枠３３の内側には、棚枠３３に包囲されるようにして複数枚の棚板４１が配置される。これらの棚板４１は、廊下側の突出先端が全て面一に揃えられ、廊下歩行時の障害とならいように、壁面２１から突出する奥行き寸法が短尺、例えば７０ｍｍ程度に設定される。
【００３２】
扉外面４５、及び棚枠３３に包囲される壁面２１には、同一意匠の化粧材５５が施工される。化粧材５５としては、木目柄化粧シート等が用いられる。これにより、扉外面４５や棚枠３３に包囲された壁面２１の仕上げ施工が省略可能となる。化粧材５５は、他の内壁に貼着されるクロス材と共通にして、統一感を持たせることができる。また、上記のように木目柄化粧シートや石目調、織物調やパターン、原色シート等を用いることにより、デザインに変化を与えて閉塞感を緩和させることも可能となる。
【００３３】
この場合、棚枠内には、間接照明の設けられることがより望ましい。さらに、間接照明の色を時間帯により変化させることで、閉塞感の生じやすい廊下１９に、朝日や夕焼け感を演出させることも可能となる。
【００３４】
また、扉２７は、化粧材５５と面一となって取手７５が設けられるので、扉２７の存在を目立たなくして、デザインの自由度を高めることができる。
【００３５】
出入口扉兼用飾り棚１１を設けることにより、本来、リビング１７等に置く飾り棚、書棚、小物台、新聞ラック等の小型の家具を減らすことができる。これにより、その分、リビング１７を広く使うことができる。
【００３６】
また、出入口扉兼用飾り棚１１は、集中して小物を収納することができる。通常、しまい込むと見つけにくくなる小物を垂直の視認性のよい大面積で、見やすく収納することが可能となる。特に、子供の絵本６５、新聞７１、雑誌６９、時計６３、写真５７、小型の観葉植物５９等の置き場所として好適に利用が可能となる。
【００３７】
また、出入口扉兼用飾り棚１１は、しまい込んである小さな置物、トロフィー６１、絵はがきの他、短期的にみたいもの、季節のもの、例えば正月の飾り物、干支の置物、節句の置物、人形等を置くのにも有効となる。
【００３８】
また、出入口扉兼用飾り棚１１は、室空間２３に置く家具と異なり、小物を分かりやすく多数置けるので、小物の整理や管理がしやすくなる効果もある。例えば、外出時に必要となる携帯品の忘れ物防止用のスペースとしても有効となる。
【００３９】
さらに、出入口扉兼用飾り棚１１は、物を置いていない空の状態においても、色、照明等の効果によりインテリアとしての役目も果たすことができる。
【００４０】
また、この出入口扉兼用飾り棚１１では、通常の状態において、ドアクローザー８２を備えることで、扉２７を閉扉状態にできる。つまり、扉２７が開け放された状態にならないで済む。これにより、出入口扉兼用飾り棚１１を設けたことによる廊下側でのデザイン性の低下が抑制できる。その結果、扉２７が廊下側や室空間側へ開け放された状態とならず、見栄えが良く、棚板４１の視認も常に良好となる。
【００４１】
次に、出入口扉兼用飾り棚１１の変形例を説明する。
【００４２】
図５は、下足入れ８７が連結される変形例に係る出入口扉兼用飾り棚８９が設けられた住宅の間取り図である。
この変形例に係る出入口扉兼用飾り棚８９は、玄関１５に配設される下足入れ８７が、棚枠３３を挟んで扉枠２９の反対側となる棚枠３３の側部に連結される。出入口扉兼用飾り棚８９は、下足入れ８７の表面に化粧材５５が取り付けられる。出入口扉兼用飾り棚８９は、化粧材５５の取り付けられた下足入れ８７の玄関１５に面する前面が、棚板４１の突出先端と面一に配置される。
【００４３】
変形例に係る出入口扉兼用飾り棚８９によれば、玄関１５に設置される下足入れ８７が、棚枠３３、扉枠２９にさらに連結される。これらには、同一の化粧材５５が施工されるので、リビング１７に至る廊下１９の奥行き方向に、下足入れ８７に化粧材５５を施工した分、統一された奥行き感、連続感を持たせることができる。その結果、通常、玄関内の構造物として認識され違和感の生じやすい下足入れ８７に対し、玄関内を含む屋内として整然とした奥拡がり感を玄関から廊下へと続けて得ることが可能となる。
【００４４】
従って、本実施形態に係る出入口扉兼用飾り棚１１、出入口扉兼用飾り棚８９によれば、閉塞感の生じやすい玄関１５とリビング１７とをつなぐ比較的長い廊下１９の通路空間において、壁面２１に設けられる扉２７をギャラリーのように有効利用することにより、閉塞感の抑制及び収納力を確保できる。
【符号の説明】
【００４５】
１１…出入口扉兼用飾り棚
１５…玄関
１７…リビング
１９…廊下
２１…壁面
２３…室空間
２５…出入口
２７…扉
２９…扉枠
３３…棚枠
４１…棚板
４５…扉外面
５５…化粧材
７５…取手
８１…扉内面
８５…ドアクローザー
８７…下足入れ
８９…出入口扉兼用飾り棚
【図１】
0003225278.tif 000003
【図２】
0003225278.tif 000004
【図３】
0003225278.tif 000005
【図４】
0003225278.tif 000006
【図５】
0003225278.tif 000007